(57)【特許請求の範囲】
【請求項１】
第１のノードに対するリンクに割り当てられた接続識別子を選択することと、なお、前記リンクは、特有のリンク識別子を有し、
リソースに関するリンク識別子を備える信号を受信することと、なお、前記信号または前記リソースのうちの少なくとも１つは前記選択された接続識別子に基づく、
前記受信されたリンク識別子および前記特有のリンク識別子に基づいて前記選択された接続識別子を使用する第２のノードの存在を決定することと
を備える、ワイヤレスデバイスを操作する方法。
【請求項２】
前記受信されたリンク識別子は、対応するリンクに特有である、
請求項１の方法。
【請求項３】
前記受信されたリンク識別子は、前記特有のリンク識別子と同じであるかを決定することをさらに備え、
前記選択された接続識別子を使用する前記第２のノードの存在は、前記受信されたリンク識別子が前記特有の第２のリンク識別子とは異なるときに決定される、
請求項１の方法。
【請求項４】
前記信号は、接続スケジューリング信号であり、前記リソースは、前記選択された接続識別子に基づき、前記接続スケジューリング信号は少なくとも２つのトーン上で受信される、
請求項１の方法。
【請求項５】
前記少なくとも２つのトーンによって前記受信されたリンク識別子を決定することをさらに備える、
請求項４の方法。
【請求項６】
前記信号は、前記接続識別子および前記受信されたリンク識別子に基づいて生成されたレートスケジューリングチャネルにおいて受信されるパイロット信号である、
請求項１の方法。
【請求項７】
前記パイロット信号の第１の部分は、前記接続識別子に基づいて生成され、前記パイロット信号の第２の部分は、前記受信されたリンク識別子に基づいて生成される、
請求項６の方法。
【請求項８】
前記接続識別子に基づいて第１の比較信号を生成することと、
前記第１の比較信号を前記パイロット信号の前記第１の部分と比較することと、
前記第１の比較信号が前記パイロット信号の前記第１の部分と一致するときに前記特有のリンク識別子に基づいて第２の比較信号を生成することと、
前記第２の比較信号を前記パイロット信号の前記第２の部分と比較することと
をさらに備え、前記選択された接続識別子を使用する前記第２のノードの存在は、前記第２の比較信号が前記パイロット信号の前記第２の部分と一致しないときに決定される、
請求項７の方法。
【請求項９】
前記パイロット信号の前記第２の部分は、さらに、前記接続識別子に基づいて生成される、
請求項７に記載の方法。
【請求項１０】
前記パイロット信号の前記第１の部分は、第１のセグメントおよび第２のセグメントを備え、前記第１の部分の前記第１のセグメントは、前記接続識別子に基づいて生成され、前記第１の部分の前記第２のセグメントは、前記接続識別子に基づいて生成され、前記パイロット信号の前記第２の部分は、第１のセグメントおよび第２のセグメントを備え、前記第２の部分の前記第１のセグメントは、前記接続識別子に基づいて生成され、前記第２の部分の前記第２のセグメントは、前記受信されたリンク識別子に基づいて生成される、
請求項９の方法。
【請求項１１】
前記パイロット信号の第１のサブセットの第１の信号対雑音比（ＳＮＲ）を推定することと、なお、前記パイロット信号の前記第１のサブセットは、前記接続識別子に基づいて生成される前記第１の部分の前記第１のセグメント、および前記接続識別子に基づいて生成される前記第２の部分の前記第１のセグメントを備える、
前記パイロット信号の第２のサブセットの第２のＳＮＲを推定することと、なお、前記パイロット信号の前記第２のサブセットは、前記接続識別子に基づいて生成される前記第１の部分の前記第２のセグメント、および前記受信されたリンク識別子に基づいて生成される前記第２の部分の前記第２のセグメントを備える、
差異を決定するために、前記第１のＳＮＲを前記第２のＳＮＲと比較することと
をさらに備え、前記選択された接続識別子を使用する前記第２のノードの存在は、前記差異に基づいて決定される、
請求項１０の方法。
【請求項１２】
第１のノードに対するリンクに割り当てられた接続識別子を選択することと、なお、前記リンクは、特有のリンク識別子を有する、
リソースに関するリンク識別子を備える信号を送ることと
を備え、前記信号または前記リソースのうちの少なくとも１つは前記選択された接続識別子に基づく、
ワイヤレスデバイスを操作する方法。
【請求項１３】
前記特有のリンク識別子は、前記ワイヤレスデバイスと前記第１のノードとの間のリンクに特有である、
請求項１２の方法。
【請求項１４】
前記信号は、接続スケジューリング信号であり、前記リソースは、前記選択された接続識別子に基づき、前記接続スケジューリング信号は少なくとも２つのトーン上で送られる、
請求項１２の方法。
【請求項１５】
前記信号は、前記少なくとも２つのトーンによって前記受信されたリンク識別子を搬送する、
請求項１４の方法。
【請求項１６】
前記信号は、レートスケジューリングチャネルにおいて送られるパイロット信号であり、前記方法は、前記接続識別子および前記受信されたリンク識別子に基づいて前記信号を生成することをさらに備える、
請求項１２の方法。
【請求項１７】
前記パイロット信号の第１の部分は、前記接続識別子に基づいて生成され、前記パイロット信号の第２の部分は、前記受信されたリンク識別子に基づいて生成される、
請求項１６の方法。
【請求項１８】
前記パイロット信号の前記第２の部分は、さらに、前記接続識別子に基づいて生成される、
請求項１７に記載の方法。
【請求項１９】
第１のノードに対するリンクに割り当てられた接続識別子を選択するための手段と、なお、前記リンクは、特有のリンク識別子を有する、
リソースに関するリンク識別子を備える信号を受信するための手段と、なお、前記信号または前記リソースのうちの少なくとも１つは前記選択された接続識別子に基づく、
前記受信されたリンク識別子および前記特有のリンク識別子に基づいて前記選択された接続識別子を使用する第２のノードの存在を決定するための手段と、
を備える、ワイヤレスデバイスのための装置。
【請求項２０】
前記受信されたリンク識別子は、対応するリンクに特有である、
請求項１９の装置。
【請求項２１】
前記受信されたリンク識別子は、前記特有のリンク識別子と同じであるかを決定するための手段をさらに備え、
前記選択された接続識別子を使用する前記第２のノードの存在は、前記受信されたリンク識別子が前記特有の第２のリンク識別子とは異なるときに決定される、
請求項１９の装置。
【請求項２２】
前記信号は、接続スケジューリング信号であり、前記リソースは、前記選択された接続識別子に基づき、前記接続スケジューリング信号は少なくとも２つのトーン上で受信される、
請求項１９の装置。
【請求項２３】
前記少なくとも２つのトーンによって前記受信されたリンク識別子を決定するための手段をさらに備える、
請求項２２の装置。
【請求項２４】
前記信号は、前記接続識別子および前記受信されたリンク識別子に基づいて生成されたレートスケジューリングチャネルにおいて受信されるパイロット信号である、
請求項１９の装置。
【請求項２５】
前記パイロット信号の第１の部分は、前記接続識別子に基づいて生成され、前記パイロット信号の第２の部分は、前記受信されたリンク識別子に基づいて生成される、
請求項２４の装置。
【請求項２６】
前記接続識別子に基づいて第１の比較信号を生成するための手段と、
前記第１の比較信号を前記パイロット信号の前記第１の部分と比較するための手段と、
前記第１の比較信号が前記パイロット信号の前記第１の部分と一致するときに前記特有のリンク識別子に基づいて第２の比較信号を生成するための手段と、
前記第２の比較信号を前記パイロット信号の前記第２の部分と比較するための手段と
をさらに備え、前記選択された接続識別子を使用する前記第２のノードの存在は、前記第２の比較信号が前記パイロット信号の前記第２の部分と一致しないときに決定される、
請求項２５の装置。
【請求項２７】
前記パイロット信号の前記第２の部分は、さらに、前記接続識別子に基づいて生成される、
請求項２５に記載の装置。
【請求項２８】
前記パイロット信号の前記第１の部分は、第１のセグメントおよび第２のセグメントを備え、前記第１の部分の前記第１のセグメントは、前記接続識別子に基づいて生成され、前記第１の部分の前記第２のセグメントは、前記接続識別子に基づいて生成され、前記パイロット信号の前記第２の部分は、第１のセグメントおよび第２のセグメントを備え、前記第２の部分の前記第１のセグメントは、前記接続識別子に基づいて生成され、前記第２の部分の前記第２のセグメントは、前記受信されたリンク識別子に基づいて生成される、
請求項２７の装置。
【請求項２９】
前記パイロット信号の第１のサブセットの第１の信号対雑音比（ＳＮＲ）を推定するための手段と、なお、前記パイロット信号の前記第１のサブセットは、前記接続識別子に基づいて生成される前記第１の部分の前記第１のセグメント、および前記接続識別子に基づいて生成される前記第２の部分の前記第１のセグメントを備え、
前記パイロット信号の第２のサブセットの第２のＳＮＲを推定するための手段と、なお、前記パイロット信号の前記第２のサブセットは、前記接続識別子に基づいて生成される前記第１の部分の前記第２のセグメント、および前記受信されたリンク識別子に基づいて生成される前記第２の部分の前記第２のセグメントを備え、
差異を決定するために、前記第１のＳＮＲを前記第２のＳＮＲと比較するための手段と、
をさらに備え、
前記選択された接続識別子を使用する前記第２のノードの存在は、前記差異に基づいて決定される、
請求項２８の装置。
【請求項３０】
第１のノードに対するリンクに割り当てられた接続識別子を選択するための手段と、なお、前記リンクは、特有のリンク識別子を有する、
リソースに関するリンク識別子を備える信号を送るための手段と
を備え、前記信号または前記リソースのうちの少なくとも１つは、前記選択された接続識別子に基づく、
ワイヤレス通信のための装置。
【請求項３１】
前記特有のリンク識別子は、前記装置と前記第１のノードとの間のリンクに特有である、
請求項３０の装置。
【請求項３２】
前記信号は、接続スケジューリング信号であり、前記リソースは、前記選択された接続識別子に基づき、前記接続スケジューリング信号は、少なくとも２つのトーン上で送られる、
請求項３０の装置。
【請求項３３】
前記信号は、前記少なくとも２つのトーンによって前記受信されたリンク識別子を搬送する、
請求項３２の装置。
【請求項３４】
前記信号は、レートスケジューリングチャネルにおいて送られるパイロット信号であり、前記装置は、前記接続識別子および前記受信されたリンク識別子に基づいて前記信号を生成するための手段をさらに備える、
請求項３０の装置。
【請求項３５】
前記パイロット信号の第１の部分は、前記接続識別子に基づいて生成され、前記パイロット信号の第２の部分は、前記受信されたリンク識別子に基づいて生成される、
請求項３４の装置。
【請求項３６】
前記パイロット信号の前記第２の部分は、さらに、前記接続識別子に基づいて生成される、
請求項３５に記載の装置。
【請求項３７】
少なくとも１つのプロセッサに、第１のノードに対するリンクに割り当てられた接続識別子を選択させるためのコードと、なお、前記リンクは、特有のリンクを有する、
前記少なくとも１つのプロセッサに、リソースに関するリンク識別子を備える信号を受信させるためのコードと、なお、前記信号または前記リソースのうちの少なくとも１つは前記選択された接続識別子に基づく、
前記少なくとも１つのプロセッサに、前記受信されたリンク識別子および前記特有のリンク識別子に基づいて前記選択された接続識別子を使用する第２のノードの存在を決定させるためのコードと、
を備える、ワイヤレスデバイスにおけるコンピュータプログラム。
【請求項３８】
少なくとも１つのプロセッサに、第１のノードに対するリンクに割り当てられた接続識別子を選択させるためのコードと、前記リンクは特有のリンク識別子を有する、
前記少なくとも１つのプロセッサに、リソースに関するリンク識別子を備える信号を送らせるためのコードと、
を備え、前記信号または前記リソースのうちの少なくとも１つは前記選択された接続識別子に基づく、
ワイヤレスデバイスにおけるコンピュータプログラム。
【請求項３９】
第１のノードに対するリンクに割り当てられた接続識別子を選択し、なお、前記リンクは、特有のリンク識別子を有する、
リソースに関するリンク識別子を備える信号を受信し、なお、前記信号または前記リソースのうちの少なくとも１つは前記選択された接続識別子に基づく、
前記受信されたリンク識別子および前記特有のリンク識別子に基づいて前記選択された接続識別子を使用する第２のノードの存在を決定する、
ように構成される処理システムを備える、
ワイヤレス通信のための装置。
【請求項４０】
第１のノードに対するリンクに割り当てられた接続識別子を選択し、なお、前記リンクは、特有のリンク識別子を有する、
リソースに関するリンク識別子を備える信号を送る
ように構成され、前記信号または前記リソースのうちの少なくとも１つは前記選択された接続識別子に基づく、
処理システムを備える、
ワイヤレス通信のための装置。
【発明の詳細な説明】
【技術分野】
【０００１】
本開示は、概して通信システムに関し、より具体的には、ワイヤレスピアツーピア通信ネットワークにおけるリソース衝突の検出に関する。
【背景技術】
【０００２】
ワイヤレスピアツーピアネットワークでは、複数のリンクが同じ通信リソースを求めて競合する。接続識別子（ＣＩＤ）は、リンクがその存在を他のリンクにシグナリングし、結果としてトラフィックリソースを求めて競うために、そのリンクに割り当てられうる。シグナリングコンフリクトを避けるために、各リンクは独自のＣＩＤを有すべきである。制限された数のＣＩＤのために、複数のリンクは、それらのリンクが互いに近接していない（つまり、それらの共存が、他のリンクにそれらの存在を正確にシグナリングすることに大きな影響を引き起こさない）とき、同じＣＩＤを共有することができる。近接せず、かつ同じＣＩＤを用いる２つのリンクは、互いに近くと、ＣＩＤ衝突を被りうる。そのような状況では、ＣＩＤ衝突を迅速に検出するためのメカニズムが必要とされる。
【発明の概要】
【０００３】
開示の態様では、ワイヤレスデバイスを操作する方法は、第１のノードに対するＣＩＤを選択し、リソースに関するリンク識別子を含む信号を受信することを含む。信号またはリソースのうちの少なくとも１つは、選択されたＣＩＤに基づく。方法はさらに、受信された信号内のリンク識別子に基づいて、選択されたＣＩＤを使用する第２のノードの存在を決定することを含む。
【０００４】
開示の態様では、ワイヤレスデバイスを操作する方法は、第１のノードに対するＣＩＤを選択し、リソースに関するリンク識別子を含む信号を送ることを含む。信号またはリソースのうちの少なくとも１つは、選択されたＣＩＤに基づく。
【図面の簡単な説明】
【０００５】
【図１】処理システムを用いる装置のためのハードウェアインプリメンテーションの例を例示する図。
【図２】例示的なワイヤレスピアツーピア通信システムの図。
【図３】ワイヤレスデバイス間のピアツーピア通信のための時間構造を例示する図。
【図４】１つのグランドフレーム（ｇｒａｎｄｆｒａｍｅ）内のスーパーフレーム（ｓｕｐｅｒｆｒａｍｅ）の各フレームにおけるチャネルを例示する図。
【図５】接続識別子のブロードキャストの構造および種々のチャネルの動作タイムラインを例示する図。
【図６】接続スケジューリングの構造およびトラフィックチャネルスロットの動作タイムラインを例示する図。
【図７Ａ】ワイヤレスデバイスのための接続スケジューリングのシグナリングスキームを例示するための第１の図。
【図７Ｂ】ワイヤレスデバイスのための接続スケジューリングのシグナリングスキームを例示するための第２の図。
【図８】ＣＩＤ衝突検出の方法を例示するための図。
【図９】ＣＩＤ衝突検出の例示的な方法を例示するための図。
【図１０】ＣＩＤ衝突検出の例示的な方法を例示するための図。
【図１１Ａ】ＣＩＤ衝突検出の別の例示的な方法を例示するための図。
【図１１Ｂ】ＣＩＤ衝突検出のさらに別の例示的な方法を例示するための図。
【図１２】ワイヤレス通信の方法のフローチャート。
【図１３】ワイヤレス通信の方法の別のフローチャート。
【図１４】ワイヤレス通信の方法のさらに別のフローチャート。
【図１５】ワイヤレス通信の別の方法のフローチャート。
【図１６】例示的な装置の機能を例示する概念的ブロック図。
【図１７】例示的な装置の機能を例示する別の概念的ブロック図。
【詳細な説明】
【０００６】
添付の図面と関係して以下で述べられる詳細な説明は、様々な構成の説明として企図されており、本明細書で説明される概念が実行されうる構成のみを示すように企図されていない。詳細な説明は、様々な概念の徹底的な理解を提供する目的のために具体的な詳細を含む。しかしながら、これらの概念がこれらの具体的な詳細がなくても実行されうることは当業者には明らかになる。いくつかの事例では、周知の構造およびコンポーネントが、そのようなコンセプトを曖昧にすることを避けるためにブロック図の形態で図示されている。
【０００７】
通信システムのいくつかの態様はこれからに様々な装置および方法を参照して示されることになる。これらの装置および方法は以下の詳細な説明で説明され、様々なブロック、モジュール、コンポーネント、回路、ステップ、プロセス、アルゴリズムなど（集合的に「要素」として称される）によって添付の図面において例示されることになる。これらの要素は電子ハードウェア、コンピュータソフトウェア、もしくはそれらの任意の組み合わせを使用して実行されうる。ハードウェア、もしくは、ソフトウェアとしてそのような要素がインプリメントされるかどうかは、特定のアプリケーションとシステム全体に課された設計制約とに依存する。
【０００８】
例として、要素または要素の任意の一部、あるいは要素の任意の組み合わせが、１つまたは複数のプロセッサを含む「処理システム」を用いてインプリメントされうる。プロセッサの例は、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、およびこの開示全体を通して説明される様々な機能を実行するように構成された他の適切なハードウェアを含む。処理システムにおける１つまたは複数のプロセッサはソフトウェアを実行することができる。ソフトウェアは、ソフトウェア、ファームウェア、ミドルウェア、マイクロコード、ハードウェア記述言語、または別の方法で称されようと、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行のスレッド、プロシージャ、機能などを意味するように広く解釈される。ソフトウェアは、コンピュータ可読媒体に備わりうる。コンピュータ可読媒体は、非トランジトリなコンピュータ可読媒体でありうる。非トランジトリなコンピュータ可読媒体は、例として、磁気記憶デバイス（例えば、ハードウェアディスク、フロッピー（登録商標）ディスク、磁気帯）、光学ディスク（例えば、コンパクトディスク（ＣＤ）、デジタルバーサタイルディスク（ＤＶＤ））、スマートカード、フラッシュメモリデバイス（例えば、カード、スティック、キードライブ）、ランダムアクセスメモリ（ＲＡＭ）、読み取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、およびコンピュータによってアクセス、ならびに読み取られうる命令、および／またはソフトウェアを記憶する任意の他の適切な媒体を含む。コンピュータ可読媒体は、また、例として、キャリア波、送信ライン、および、コンピュータによってアクセス、ならびに読み取られうる命令、および／またはソフトウェアを送信する任意の他の適切な媒体を含むことができる。コンピュータ可読媒体は、処理システム内に、処理システムの外部に、または処理システムを含む複数のエンティティに渡って分散されて備わりうる。コンピュータ可読媒体は、コンピュータプログラム製品において具現化されうる。例として、コンピュータプログラム製品は、パッケージングマテリアル内にコンピュータ可読媒体を含むことができる。当業者は、特定のアプリケーションおよび全体のシステムに課された全体の設計制限に依存して本開示全体を通して示されている説明された機能をインプリメントすることがどれ程最良であるかを認識することになる。
【０００９】
図１は、処理システム１１４を用いる装置１００のためのハードウェアインプリメンテーションの例を例示する概念図である。装置１００は、当業者によって、ユーザ機器、モバイル局、加入者局、モバイルユニット、加入者ユニット、ワイヤレスユニット、ワイヤレスノード、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、またはいくつかの他の適切な専門用語として称されうる。処理システム１１４は、バス１０２として概して表されている、バスアーキテクチャを用いてインプリメントされうる。バス１０２は、処理システム１１４の指定のアプリケーションおよび全体の設計制限に依存する任意の数の相互動作するバスおよびブリッジを含むことができる。バス１０２は概してプロセッサ１０４によって表される１つまたは複数のプロセッサ、および概してコンピュータ可読媒体１０６によって表されるコンピュータ可読媒体を含む様々な回路を互いにリンクする。バス１０２はまた、タイミングソース、周辺機器、電圧調節器、および電力管理回路のような様々な他の回路もリンクし、これらは当技術分野では周知であり、従ってこれ以上は説明されない。バスインタフェース１０８は、バス１０２とトランシーバ１１０との間にインタフェースを提供する。トランシーバ１１０は伝送媒体を介して様々な他の装置と通信するための手段を提供する。
【００１０】
プロセッサ１０４は、バス１０２を管理すること、および一般的な処理を担っており、コンピュータ可読媒体１０６に記憶されるソフトウェアの実行を含む。プロセッサ１０４によって実行されたとき、ソフトウェアは、処理システム１１４が任意の特定の装置に対して、下記で説明される様々な機能を実行させる。コンピュータ可読媒体１０６はまた、ソフトウェアを実行するときにプロセッサ１０４によって扱われるデータを記憶するために使用され得る。
【００１１】
図２は、例示的なピアツーピア通信システム２００の図である。ピアツーピア通信システム２００は、複数のワイヤレスデバイス２０６、２０８、２１０、２１２を含む。ピアツーピア通信システム２００は、例えばワイヤレス広域ネットワーク（ＷＷＡＮ）のようなセルラ式通信システムと重複しうる。ワイヤレスデバイス２０６、２０８、２１０、２１２のいくつかは、ピアツーピア通信において共に通信することができ、基地局２０４と通信できるものもあり、両方を行うことができるものもある。例えば、図２で図示されているように、ワイヤレスデバイス２０６、２０８がピアツーピア通信をしており、ワイヤレスデバイス２１０、２１２がピアツーピア通信をしている。ワイヤレスデバイス２１２はまた、基地局２０４とも通信している。
【００１２】
下記で論じられる例示的な方法および装置は、例えば、ＦｌａｓｈＬｉｎＱ、ＷｉＭｅｄｉａ、Ｂｌｕｅｔｏｏｔｈ（登録商標）、ＺｉｇＢｅｅ（登録商標）、またはＩＥＥＥ８０２．１１標準に基づくＷｉＦｉに基づいたワイヤレスピアツーピア通信システムのような、多様なワイヤレスピアツーピア通信システムのいずれにも適用可能である。議論を簡略化するために、例示的な方法および装置は、ＦｌａｓｈＬｉｎＱのコンテクスト内で論じられる。しかしながら当業者は、例示的な方法および装置が、より一般的に多様な他のワイヤレスピアツーピア通信システムに適用可能であることを理解することになる。
【００１３】
図３は、ワイヤレスデバイス１００間でのピアツーピア通信のための時間構造を例示する図３００である。ウルトラフレーム（ｕｌｔｒａｆｒａｍｅ）は、５１２秒であり、６４つのメガフレームを含む。各メガフレームは８秒であり、８つのグランドフレームを含む。各グランドフレームは１秒であり、１５つのスーパーフレームを含む。各スーパーフレームは約６６．６７ｍｓであり、３２つのフレームを含む。各フレームは２．０８３３ｍｓである。
【００１４】
図４は、１つのグランドフレーム内のスーパーフレームの各フレームにおけるチャネルを例示する図４００である。（インデックスが０である）第１のスーパーフレームにおいて、フレーム０はリザーブされたチャネル（ＲＣＨ）であり、フレーム１−１０はそれぞれ、種々のチャネル（ＭＣＣＨ）であり、フレーム１１−３１はそれぞれ、トラフィックチャネル（ＴＣＣＨ）である。（インデックスが１：６である）２番目から７番目のスーパーフレームにおいて、フレーム０はＲＣＨであり、フレーム１−３１はそれぞれ、ＴＣＣＨである。（インデックスが７である）８番目のスーパーフレームにおいて、フレーム０はＲＣＨであり、フレーム１−１０はそれぞれＭＣＣＨであり、フレーム１１−３１はそれぞれ、ＴＣＣＨである。（インデックスが８：１４である）９番目から１５番目のスーパーフレームにおいて、フレーム０はＲＣＨであり、フレーム１−３１はそれぞれ、ＴＣＣＨである。スーパーフレームのインデックスが０のＭＣＣＨは二次的なタイミング同期チャネル、ピア発見チャネル、ピアページチャネル、およびリザーブされたスロットを含む。スーパーフレームのインデックスが７のＭＣＣＨは、ピアページチャネルおよびリザーブされたスロットを含む。ＴＣＣＨは、接続スケジューリング、パイロット、チャネル品質インジケータ（ＣＱＩ）フィードバック、データセグメント、および肯定応答（ＡＣＫ）を含む。
【００１５】
図５は、ＭＣＣＨの動作タイムライン、および接続識別子（ＣＩＤ）ブロードキャストの構造を例示する図５００である。図４と関連して論じられるように、スーパーフレームのインデックスが０のＭＣＣＨは、二次的なタイミング同期チャネル、ピア発見チャネル、ピアページングチャネル、およびリザーブされたスロットを含む。スーパーフレームのインデックスが０のＭＣＣＨにおけるピアページングチャネルは、クイックページングチャネル（ｑｕｉｃｋ  ｐａｇｉｎｇ  ｃｈａｎｎｅｌ）、ＣＩＤブロードキャストチャネル、およびページ要求チャネルを含む。スーパーフレームのインデックスが７のＭＣＣＨはピアページングチャネル、およびリザーブされたスロットを含む。スーパーフレームのインデックスが７のＭＣＣＨにおけるピアページングチャネルはページ応答チャネル、およびページ承認チャネルを含む。ＣＩＤブロードキャストチャネルは新たな接続のためのＣＩＤ割り当てに関する分散型プロトコルを提供し、ＣＩＤ衝突検出のためのメカニズムを提供し、通信ピアとのリンク接続が未だ存在するというワイヤレスデバイスの証拠を提供する。
【００１６】
ＣＩＤブロードキャストの構造は４つのブロックから成り、そのそれぞれが複数のリソース要素、つまり周波数ドメインには複数のサブキャリア、ならびに時間ドメインにはＯＦＤＭシンボル、を包含する。４つのブロックのそれぞれは複数のサブキャリア（例えば、２８のサブキャリア）にまたがり、１６つのＯＦＤＭシンボルを含む。１つのリソース要素（またはトーン）は１つのサブキャリア、および１つのＯＦＤＭシンボルに対応する。
【００１７】
各ＣＩＤに関して、隣接するＯＦＤＭシンボルにおけるリソース要素のペアが、ＣＩＤブロードキャストのための４つのブロックのそれぞれにおいて割り当てられる。隣接するリソース要素のペアでは、第１のリソース要素は、ＴＣＣＨにおいて送信するために使用される電力に比例するエネルギーを搬送し、第２のリソース要素は、ＴＣＣＨにおいて受信された電力に反比例するエネルギーを搬送する。所与のＣＩＤに関して、リソース要素の各ペアは、各グランドフレームを変化させるブロック内の変化するサブキャリアおよび固定されたＯＦＤＭシンボルポジションを有する。いずれの所与のリンクでも、ランダムにリンクを開始するワイヤレスデバイスは、ＣＩＤブロードキャストのためにブロック０およびブロック２からブロックを選択し、リンクにおける他のワイヤレスデバイスは、ＣＩＤブロードキャストのために、ブロック１およびブロック３からブロックを、ランダムに選択する。このように、特定のＣＩＤに関して、割り当てられたリソースの半分だけが、そのＣＩＤを用いたリンクによって利用される。ブロックのランダムな選択のために、第２のワイヤレスデバイスとリンクする第１のワイヤレスデバイスは、異なるリンクにおける第３のワイヤレスデバイスまたは第４のワイヤレスデバイスが、第１のワイヤレスデバイスまたは第２のワイヤレスデバイスによって選択されるブロックとは異なるブロックを使用してＣＩＤブロードキャストを送信するとき、ＣＩＤ衝突を検出することができることになる。
【００１８】
例えば、ＣＩＤ＝４であるワイヤレスデバイスはＣＩＤブロードキャストのためにブロック０を選択すると仮定する。ワイヤレスデバイスは、ＣＩＤブロードキャストのためにリソース要素５０２、５０４を割り当てられうる。リソース要素５０２では、ワイヤレスデバイスは、ＴＣＣＨにおいて送信するために使用される電力に比例するエネルギーを送信する。リソース要素５０４では、ワイヤレスデバイスは、ＴＣＣＨにおいて受信される電力に反比例 するエネルギーを送信する。後に続くグランドフレームでは、ワイヤレスデバイスは、異なるサブキャリアであるけれども、同じ相対的なＯＦＤＭシンボルポジション（つまり、この例では選択されたブロックの第１および第２のＯＦＤＭシンボル）を有するリソース要素の様々なペアを有することができる。
【００１９】
図６は、ＴＣＣＨスロットの動作タイムライン、および接続スケジューリングの構造を例示する図６００である。図６で図示されているように、ＴＣＣＨスロットは、接続スケジューリング、レートスケジューリング、データセグメント、およびＡＣＫという４つのサブチャネルを含む。レートスケジューリングサブチャネルは、パイロットセグメント、およびＣＱＩセグメントを含む。ＡＣＫサブチャネルは、データセグメントサブチャネルにおいて受信されたデータに応じて、肯定応答（ＡＣＫ）、または否定応答（ＮＡＣＫ）を送信するためのものである。接続スケジューリングサブチャネルは、より高い優先度のブロックＨ、およびより低い優先度のブロックＬ、という２つのブロックを含む。ブロックＨおよびブロックＬのそれぞれは、複数のリソース要素、つまり周波数ドメインにおける複数のサブキャリア、および時間ドメインにおけるＯＦＤＭシンボル、を包含する。ブロックＨおよびブロックＬのそれぞれは、複数のサブキャリアにまたがり、Ｔｘｐブロックに４つのＯＦＤＭシンボル、Ｔｘブロックに４つのＯＦＤＭシンボル、およびＲｘブロックに４つのＯＦＤＭシンボルを含む。１つのリソース要素（またはトーン）は、１つのサブキャリアおよび１つのＯＦＤＭシンボルに対応する。
【００２０】
各リンクはＣＩＤを有する。ＣＩＤに基づいて、特定のＴＣＣＨスロットに関してリンクにおけるワイヤレスデバイスは、特定のサブキャリアで、かつブロックＨまたはブロックＬ内の、Ｔｘｐブロック、Ｔｘブロック、およびＲｘブロックのそれぞれにおける同じ各ＯＦＤＭシンボルポジションにあるリソース要素を割り当てられる。例えば、特定のＴＣＣＨスロットにおいて、ＣＩＤ＝４であるリンクは、スケジューリング制御信号を送信／受信するために、ブロックＨのＴｘｐブロックにおけるリソース要素６０２、ブロックＨのＴｘブロックにおけるリソース要素６０４、およびブロックＨのＲｘブロックにおけるリソース要素６０６を割り当てられうる。Ｔｘブロックにおける送信要求信号は、データセグメントを送信するための電力に等しい電力を用いて送信される。Ｒｘブロックにおける送信要求応答信号は、受信された送信要求信号の電力の逆に比例する電力を用いて送信される。Ｔｘｐブロック、Ｔｘブロック、およびＲｘブロックに対する割り当てられたトリオのリソース要素は、サブキャリア（例えば、ｋ個の異なるサブキャリア）および各ＴＣＣＨスロットにおける各々のＯＦＤＭシンボル（例えば、ブロックＨに４つおよびブロックＬに４つの、８つの異なるＯＦＤＭシンボル）に関連して変化する。
【００２１】
リンクに割り当てられるリソース要素のトリオは、リンクの媒体アクセスの優先度を規定する。例えば、リソース要素６０２、６０４、６０６のトリオは、ｉ＝２およびｊ＝１に対応する。媒体アクセスの優先度は、  
【数１】
0005684403.tif 000002
【００２２】
に等しく、ここにおいてｉは、Ｔｘｐ、Ｔｘ、およびＲｘのサブブロックのそれぞれにおける各々のＯＦＤＭシンボルであり、ｊはサブキャリアであり、ｋはサブキャリアの数である。従って、ｋ＝２８であると仮定すると、リソース要素６０２、６０４、６０６は、５８の媒体アクセスの優先度に対応する。
【００２３】
図７Ａは、ワイヤレスデバイス１００のための例示的な接続スケジューリングのシグナリングスキームを例示する第１の図である。図７Ａで図示されているように、ワイヤレスデバイスＡは、ワイヤレスデバイスＢと通信し、ワイヤレスデバイスＣはワイヤレスデバイスＤと通信し、ならびにワイヤレスデバイスＥはワイヤレスデバイスＦと通信する。ワイヤレスデバイスＡは、ワイヤレスデバイスＢに対して送信の優先権を有すると仮定され、ワイヤレスデバイスＣはワイヤレスデバイスＤに対して送信の優先権を有すると仮定され、ワイヤレスデバイスＥは、ワイヤレスデバイスＦに対して送信の優先権を有すると仮定される。リンクのそれぞれは、通信のための特定のスロットに依存する異なる媒体アクセスの優先度を有する。通信のための特定のスロットに関して、リンク１（Ａ、Ｂ）は２の媒体アクセスの優先度を有すると仮定され、リンク２（Ｃ，Ｄ）は、１の媒体アクセスの優先度を有すると仮定され、リンク３（Ｅ，Ｆ）は、７の媒体アクセス優先度を有すると仮定される。
【００２４】
図７Ｂは、ワイヤレスデバイス１００のための例示的な接続スケジューリングのシグナリングスキームを例示する第２の図である。図７Ｂは、接続スケジューリングサブチャネルにおける、（媒体アクセスの優先度１からｋに対応する）ブロックＨ内のＴｘｐ、Ｔｘ、およびＲｘサブブロックの第１の各々のＯＦＤＭシンボル（ｉ＝０、図６を参照）の接続スケジューリングリソースを図示している。接続スケジューリングリソースは、複数のサブキャリアを含み、サブキャリアのそれぞれは、ｋ個の周波数帯域のうちの１つに対応する。周波数帯域のそれぞれは、特定の媒体アクセスの優先度に対応する。接続スケジューリングリソースにおける１つのブロックは、Ｔｘｐ、Ｔｘ、およびＲｘの３つのサブブロック／フェーズに分かれる。Ｔｘｐブロックは、送信の優先権を有するノードが送信機として動作することになるか、受信機として動作することになるかを指し示すために、リンクにおける送信の優先権を有するノードによって使用される。送信の優先権を有するノードがＴｘｐブロックにおける割り当てられたＯＦＤＭシンボル上で送信する場合、送信の優先権を有するノードは、送信機として動作する意図を、送信の優先権を有さないノードに指し示す。送信の優先権を有するノードがＴｘｐブロックにおける割り当てられたＯＦＤＭシンボルで送信しない場合、送信の優先権を有するノードは、受信機として動作する意図を、送信の優先権を有さないノードに指し示す。Ｔｘブロックは、スケジュールされるべきという要求をするために、潜在的な送信機によって使用される。送信機は、トラフィックチャネルのために使用される電力に等しい電力（つまり、データセグメントを送信するための電力）でＴｘブロックにおける割り当てられたＯＦＤＭシンボル上で、直接電力信号を送信する。各潜在的な受信機は、Ｔｘブロックにおけるトーンをリッスンし、Ｔｘブロックのぞれぞれにおける受信された電力を、それ自身のリンクの送信機に割り当てられたＴｘブロックにおける受信された電力と比較し、他のリンク媒体アクセスの優先度および比較に関連した、それ自身のリンクの媒体アクセスの優先度に基づいて、Ｒｘ譲歩すべきかどうかを決定する。
【００２５】
例えば、ノードＡ、Ｄ、およびＥが、ぞれぞれＰＡ、ＰＢ、およびＰＥに等しい電力でＴｘブロックにおいて送信要求信号を送信する。ノードＢは、
【数２】
0005684403.tif 000003
【００２６】
に等しい電力でノードＡから送信要求信号を受信し、ここにおいて、ｈＡＢは、ノードＡとノードＢとの間のパスロスである。ノードＢは、
【数３】
0005684403.tif 000004
【００２７】
に等しい電力を用いてノードＤから送信要求信号を受信し、ここにおいてｈＤＢは、ノードＤとノードＢとの間のパスロスである。ノードＢは、
【数４】
0005684403.tif 000005
に等しい電力を用いて、ノードをＥから送信要求信号を受信し、ここにおいて、ｈＥＢは、ノードＥとノードＢとの間のパスロスである。ノードＢは、Ｒｘ譲歩すべきかどうかを決定するために、より高い優先度を有する他のノードからの受信された送信要求信号の電力の合計によって分割されたノードＡからの受信された送信要求信号の電力を、しきい値と比較する。ノードＢがスケジュールされた場合に、合理的な信号対干渉比（ＳＩＲ）を予測すると、ノードＢはＲｘ譲歩しない。つまり、
【数５】
0005684403.tif 000006
【００２８】
でない限りノードＢはＲｘ譲歩せず、ここにおいて
【数６】
0005684403.tif 000007
【００２９】
は、しきい値（例えば、９ｄＢ）である。
【００３０】
Ｒｘブロックは、潜在的な受信機によって使用される。受信機がＲｘ譲歩することを選択する場合、受信機は、Ｒｘブロック内の割り当てられたＯＦＤＭシンボルで送信しない。そうでなければ、受信機は、それ自身のリンクの送信機からの受信された直接電力信号の電力の逆に比例する電力で、Ｒｘブロック内の割り当てられたＯＦＤＭシンボルで逆エコー電力信号を送信する。全ての送信機は、データセグメントの送信をＴｘ譲歩すべきかどうかを決定するために、Ｒｘブロックにおけるトーンをリッスンする。
【００３１】
例えば、
【数７】
0005684403.tif 000008
【００３２】
に等しい電力でノードＤから送信要求信号を受信した、ノードＣは、
【数８】
0005684403.tif 000009
【００３３】
に等しい電力で、Ｒｘブロック内で送信要求応答信号を送信し、ここにおいてｈＤＣはノードＤとノードＣとの間のパスロスであり、Ｋは全てのノードにとって既知である定数である。ノードＡは、
【数９】
0005684403.tif 000010
【００３４】
に等しい電力でノードＣから送信要求応答信号を受信し、ここにおいて、ｈＣＡはノードＣとノードＡとの間のパスロスである。ノードＡがノードＣに対して過度の干渉をもたらす場合、ノードＡはＴＸ譲歩する。つまり、
【数１０】
0005684403.tif 000011
【００３５】
でない限りノードＡはＴｘ譲歩せず、ここにおいて
【数１１】
0005684403.tif 000012
【００３６】
は、しきい値（例えば、９ｄＢ）である。
【００３７】
接続スケジューリングのシグナリングスキームは、例と共に最も良く説明される。ノードＣは送信すべきデータを有さず、媒体アクセスの優先度１のＴｘｐブロックで送信せず、ノードＡは送信すべきデータを有し、媒体アクセス優先度２のＴｘｐブロックで送信し、ノードＥは、送信すべきデータを有し、媒体アクセスの優先度７のＴｘｐブロックで送信する。ノードＤは送信すべきデータを有し、媒体アクセスの優先度１のＴｘブロックで送信し、ノードＡは媒体アクセス優先度２のＴｘブロックで送信し、ノードＥは、媒体アクセスの優先度７用のＴｘブロックで送信する。ノードＣが最高の優先度を有しているため、ノードＣは、Ｔｘブロックにおいてトーンをリッスンし、媒体アクセスの優先度１のＲｘブロックＲｘブロックで送信することを決定する。ノードＢは、Ｔｘブロックでトーンをリッスンし、そのリンクが、より高い媒体アクセスの優先度を有するリンク２を干渉しないことを決定し、媒体アクセスの優先度２のＲｘブロックにおいて送信する。ノードＦは、Ｔｘブロックでトーンをリッスンし、そのリンクが、両方がより高い媒体アクセスの優先度を有するリンク１および／またはリンク２を干渉することを決定し、媒体アクセスの優先度７のＲｘブロックにおいて送信しないことによってＲｘ譲歩する。結果として、ＤおよびＡの両方は、データを送信すべきかどうかを決定するためにＲｘブロックでトーンをリッスンする。ＤはＡよりも高いリンクの媒体アクセスの優先度を有しているため、Ｄはそのデータを送信する。Ａが、その送信がＤからの送信を干渉すると決定する場合、Ａは、データの送信をＴｘ譲歩することになる。
【００３８】
図８は、ＣＩＤ衝突検出の方法を例示するための図８００である。図５と関連して説明されているように、ＣＩＤ衝突は、ＣＩＤブロードキャストの間に１秒に１度、検出されうる。ＣＩＤ衝突はまた、接続スケジューリングの間により頻繁に検出されうる。例えば、ワイヤレスデバイス８０２、８０４が第１のリンク（リンク１）でピアツーピア通信をし、ワイヤレスデバイス８０６、８０８が第２のリンク（リンク２）でピアツーピア通信をし、ワイヤレスデバイス８０２、８０６が送信の優先権を有し、リンク１およびリンク２が同じＣＩＤ（例えば、ＣＩＤ＝４）を有すると仮定する。ワイヤレスデバイス８０２はＴｘｐブロックで送信するけれどもワイアヤレスデバイス８０６は送信しない場合、ワイヤレスデバイス８０６は、ワイヤレスデバイス８０６がそのＴｘｐブロックで予期されない送信を受信することになるため、ＣＩＤ衝突が存在すると決定することができる。しかしながら、ワイヤレスデバイス８０２、８０６が、Ｔｘｐブロックで送信する場合、ワイヤレスデバイス８０２、８０６の両方は、それらの半二重の性質のために他の送信を受信しないことになり、従って、ＣＩＤ衝突が存在することを知ることはないだろう。さらに、ワイヤレスデバイス８０４、８０８は、それらの両方が、Ｔｘｐブロックにおける送信を受信する可能性を予期するため、異常なアクティビティを観測しない。
【００３９】
図９は、ＣＩＤ衝突検出の例示的な方法を例示するための図９００である。図９で図示されているように、リンク１およびリンク２はそれぞれ、独自のリンク識別子（ＬＩＤ）を有し、この例ではそれぞれＬＩＤ１およびＬＩＤ２であると仮定されている。例示的な方法に従って、ＬＩＤ情報は、接続スケジューリング信号および／またはレートスケジューリング信号を用いて送信される。ＬＩＤ情報から、他のリンクはＣＩＤ衝突を検出できる。
【００４０】
つまり、ＣＩＤ衝突検出を向上させるために、リンクのどちらかのノードが接続スケジューリング信号またはレートスケジューリング信号を送信するときはいつでも、信号は、そのリンクによって占有されているＣＩＤおよびそのリンク特有のＬＩＤの両方に関連する（例えば、両方のノード識別子が追加または共に結合されうる）情報を包含する。信号を受信するワイヤレスデバイスは、そのＣＩＤに関連する受信された信号がそれ自身のリンクのワイヤレスデバイスからのものであるか、同じＣＩＤを使用している別のリンクのワイヤレスデバイスからのものであるのかを見分けることができる。
【００４１】
図１０は、ＣＩＤ衝突検出の例示的な方法を例示するための図１０００である。図６に関連して上記で論じられたように、ＣＩＤに基づいて、リンクにおけるワイヤレスデバイスは、特定のサブキャリアで、かつブロックＨまたはブロックＬ内の、Ｔｘｐブロック、Ｔｘブロック、およびＲｘブロックのそれぞれにおける同じ各々のＯＦＤＭシンボルポジションにあるリソース要素を割り当てられる。１つの構成では、ＬＩＤ情報は、割り当てられたリソースにおいて送信された信号と結合され、従って図６で図示されているように、リソース要素６０２、６０４、６０６において送信された信号は、さらに、ＬＩＤ情報を包含することができる。代わりの構成では、リンクにおけるワイヤレスデバイスは、ＬＩＤ情報を搬送するためのさらなるリソースを割り当てられる。例えば、図１０で図示されているように、リンクにおけるワイヤレスデバイスは、特定のサブキャリアで、かつブロックＨまたはブロックＬ内の、Ｔｘｐブロック、Ｔｘブロック、およびＲｘブロックのそれぞれに関する２つのトーンのシグナリングのための２つのリソース要素を割り当てられうる。このように、特定のリンクは、ＬＩＤ情報を併行して送信する間に接続スケジューリングを実行するために、Ｔｘｐブロック内のリソース要素１００２、Ｔｘブロック内のリソース要素１００４、Ｒｘブロック内のリソース要素１００６を割り当てられうる。そのような構成では、第１のリソース要素は、電力情報を搬送し、第２のリソース要素はＬＩＤを搬送することができる。例えば、２つのリソース要素１００４のうち、第１のリソースは、直接電力信号を搬送し、第２のリソース要素は、ＬＩＤ情報を搬送することができ、ならびに２つのリソース要素１００６のうち、第１のリソースは、逆エコー電力信号を搬送し、第２のリソースはＬＩＤ情報を搬送することができる。ＬＩＤ情報は、２つのトーンの間のフェーズまたは振幅の差異を通じて搬送されうる。つまり、リンクに割り当てられるリソースのペア上の２つの信号の間のフェーズまたは振幅の差異が、リンクのＬＩＤの機能でありうる。
【００４２】
図９を再度参照すると、ワイヤレスデバイス８０６がＣＩＤ＝４に基づくリソースを使用して接続スケジューリング信号を送信し、接続スケジューリング信号はＬＩＤ２のＬＩＤを指し示す情報を含む場合、ワイヤレスデバイス８０２、８０４がトーンの間の予期されないフェーズ／振幅の差異を受信し、シグナリングが同じＣＩＤを共有する別のリンクからのものであることを推測する間にワイヤレスデバイス８０８は予期された接続スケジューリング信号を観測することになる。
【００４３】
図１１Ａは、ＣＩＤ衝突検出の別の例示的な方法を例示するための図１１００である。図１１ＢはＣＩＤ衝突検出のさらに別の例示的な方法を例示するための図１１５０である。方法に従うと、レートスケジューリングでは、ワイヤレスデバイスがパイロット信号を送るとき、パイロット信号は、ＣＩＤによって決定される第１の部分、およびＬＩＤによってあるいはＬＩＤとＣＩＤの両方によって決定される第２の部分という２つの部分を含む。例えば、図１１Ａで図示されているように、パイロットは、ＣＩＤのみに依存する第１の疑似ランダム雑音（ＰＮ）シーケンス１１０２、およびＬＩＤにのみに依存する第２のＰＮシーケンス１１０４という２つのＰＮシーケンスを含むことができる。受信ワイヤレスデバイスがそのＣＩＤに関する第１のパイロットＰＮシーケンスを検出するけれどもそのＬＩＤに関する第２のパイロットＰＮシーケンスは検出しない場合、ワイヤレスデバイスは、他のリンクとのＣＩＤ衝突が存在すると推測することができる。ＣＩＤ衝突を推測するために、ワイヤレスデバイスは、ＣＩＤに基づいて第１の比較信号を生成し、第１の比較信号を第１のＰＮシーケンス１１０２と比較することができる。第１の比較信号が第１のＰＮシーケンス１１０２と一致する場合、ワイヤレスデバイスは、第１のノードに対するそのＬＩＤに基づいて第２の比較信号を生成することができる。ワイヤレスデバイスはその後、第２の比較信号を第２のＰＮシーケンス１１０４と比較する。第１のノードとは異なる第３のノードに対する選択されたＣＩＤを使用する第２のノードの存在は、第２の比較信号が第２のＰＮシーケンス１１０４と一致しないときに決定されうる。
【００４４】
別の例では、図１１Ｂで図示されているように、パイロットは、ＣＩＤのみに依存する第１のＰＮシーケンス１１５２、およびＣＩＤおよびＬＩＤの両方に依存する第２のＰＮシーケンス１１６２という２つのＰＮシーケンスを含むことができる。第１のＰＮシーケンス１１５２は、２つの部分を有すことができ、第１の部分１１５４および第２の部分１１５６が両方ともＣＩＤに依存する。第２のＰＮシーケンス１１６２もまた、２つの部分を有すことができ、第１の部分１１６４はＣＩＤに依存し、および第２の部分１１６６がＬＩＤに依存する。受信ワイヤレスデバイスは、ＣＩＤにのみ依存するＰＮシーケンスの部分１１７０を使用して信号対雑音比（ＳＮＲ）（つまり、ＳＮＲ１）を推定し、ＣＩＤおよびＬＩＤの両方に依存するＰＮシーケンスの部分１１８０を使用してＳＮＲ（つまり、ＳＮＲ２）を推定することができる。受信ワイヤレスデバイスは、ＳＮＲ１とＳＮＲ２との間の統計的な差異からＣＩＤ衝突を推断することができる。
【００４５】
図１２は、ワイヤレス通信の方法のフローチャート１２００である。方法は、ワイヤレスデバイス１００によって実行される。ワイヤレスデバイス１００は、第１のノードに対するＣＩＤを選択する（１２０２）。ワイヤレスデバイス１００は、リソースに関するＬＩＤを含む信号を受信する（１２０４）。信号またはリソースのうちの少なくとも１つは、選択されたＣＩＤに基づく（１２０４）。例えば、レートスケジューリングにおいて送られるパイロット信号、および接続スケジューリングのために使用されるリソースは、選択されたＣＩＤに基づく。ワイヤレスデバイス１００は、受信されたＬＩＤがワイヤレスデバイスと第１のノードとの間のリンクに特有の第２のＬＩＤと同じであるかを決定する（１２０６）。ワイヤレスデバイス１００は、その後、受信された信号内のＬＩＤに基づいて第１のノードとは異なる第３のノードに対する選択されたＣＩＤを使用する第２のノードの存在を決定する（１２０８）。ＬＩＤは、対応するリンクに特有であるか、または少なくとも別のリンクと同じである可能性が低くありうる。第３のノードに対する選択されたＣＩＤを使用する第２のノードの存在は、受信されたＬＩＤが第２のＬＩＤとは異なるときに決定されうる。上記で論じられたように、信号は、接続スケジューリング信号であり、従ってリソースは、選択されたＣＩＤに基づきうる。接続スケジューリング信号は、少なくとも２つのトーン上で受信されうる。接続スケジューリング信号が少なくとも２つのトーン上で受信されるとき、ワイヤレスデバイス１００は、少なくとも２つのトーンによって、２つのトーンの間の振幅の差異、またはフェーズの差異のうちの少なくとも１つを通じて、ＬＩＤを決定することができる。
【００４６】
図１３は、ワイヤレス通信の方法の別のフローチャート１３００である。方法は、ワイヤレスデバイス１００によって実行される。上記で論じられたように、１２０４で受信された信号は、ＣＩＤおよびＬＩＤに基づいて生成されたレートスケジューリングチャネルにおいて受信されるパイロット信号でありうる。パイロット信号の第１の部分（例えば、１１０２）はＣＩＤに基づいて生成され、パイロット信号の第２の部分（例えば、１１０４）はＬＩＤに基づいて生成されうる。ワイヤレスデバイス１００は、ＣＩＤに基づいて第１の比較信号を生成し（１３０２）、第１の比較信号をパイロット信号の第１の部分と比較することができる（１３０４）。第１の比較信号がパイロット信号の第１の部分に一致するとき、ワイヤレスデバイス１００は第２のＬＩＤに基づいて第２の比較信号を生成することができる（１３０６）。第２のＬＩＤは、ワイヤレスデバイスと第１のノードとの間のリンクに特有でありうる（１３０６）。ワイヤレスデバイス１００は、その後、第２の比較信号をパイロット信号の第２の部分と比較する（１３０８）。第３のノードに対する選択されたＣＩＤを使用する第２のノードの存在は、第２の比較信号がパイロット信号の第２の部分と一致しないときに決定されうる。
【００４７】
図１４は、ワイヤレス通信の方法のさらに別のフローチャート１４００である。方法は、ワイヤレスデバイス１００によって実行される。方法にしたがって、パイロット信号の第２の部分はまた、ＣＩＤに基づいて生成されうる。図１１Ｂに関連して論じられるように、パイロット信号の第１の部分１１５２は、第１のセグメント１１５４および第２のセグメント１１５６を含む。第１の部分１１５２の第１のセグメント１１５４は、ＣＩＤに基づいて生成され、第１の部分１１５２の第２のセグメント１１５６もまた、ＣＩＤに基づいて生成される。パイロット信号の第２の部分１１６２は、第１のセグメント１１６４および第２のセグメント１１６６を備える。第２の部分１１６２の第１のセグメント１１６４は、ＣＩＤに基づいて生成され、第２の部分１１６２の第２のセグメント１１６６はＬＩＤに基づいて生成される。方法に従って、ワイヤレスデバイス１００はパイロット信号の第１のサブセット１１７０の第１のＳＮＲを推定する（１４０２）。パイロット信号の第１のサブセット１１７０は、ＣＩＤに基づいて生成される第１の部分１１５２の第１のセグメント１１５４およびＣＩＤに基づいて生成される第２の部分１１６２の第１のセグメント１１６４を含む。加えて、ワイヤレスデバイス１００はパイロット信号の第２のサブセット１１８０の第２のＳＮＲを推定する（１４０４）。パイロット信号の第２のサブセット１１８０は、ＣＩＤに基づいて生成される第１の部分１１５２の第２のセグメント１１５６およびＬＩＤに基づいて生成される第２の部分１１６２の第２のセグメント１１６６を含む。さらに、ワイヤレスデバイス１００は、差異を決定するために、第１のＳＮＲを第２のＳＮＲと比較する。第３のノードに対する選択されたＣＩＤを使用する第２のノードの存在は、差異に基づいて決定される。つまり、差異がしきい値よりも大きいとき、ワイヤレスデバイス１００は第３のノードに対するそのＣＩＤを使用する第２のノードの存在を決定する。
【００４８】
図１５は、ワイヤレス通信の別の方法のフローチャート１５００である。方法は、ワイヤレスデバイス１００によって実行される。ワイヤレスデバイス１００は、第１のノードに対するＣＩＤを選択し（１５０２）、リソースに関するＬＩＤを含む信号を送る（１５０４）。信号またはリソースのうちの少なくとも１つは、選択されたＣＩＤに基づく。ＬＩＤは、ワイヤレスデバイスと第１のノードとの間のリンクに特有でありうる。１つの構成では、信号は、接続スケジューリング信号であり、リソースは、選択されたＣＩＤに基づき、接続スケジューリング信号は少なくとも２つのトーン上で送られる。信号は、少なくとも２つのトーンによって、２つのトーンの間の振幅の差異またはフェーズの差異のうちの１つを通じて、ＬＩＤを搬送することができる。１つの構成では、信号は、レートスケジューリングチャネルにおいて送られるパイロット信号である。そのような構成では、ワイヤレスデバイス１００は、ＣＩＤおよびＬＩＤに基づいて信号を生成する。パイロット信号の第１の部分はＣＩＤに基づいて生成され、パイロット信号の第２の部分はＬＩＤに基づいて生成されうる。１つの構成では、パイロット信号の第２の部分もまた、ＣＩＤに基づいて生成される。
【００４９】
図１６は例示的な装置１００の機能を例示する概念的ブロック図である。例示的な装置１００は、ワイヤレスデバイスでありうる。装置１００は、第１のノードに対するＣＩＤを選択するモジュール１６０２を含む。加えて、装置１００は、リソースに関するＬＩＤを含む信号を受信するモジュール１６０４を含む。信号またはリソースのうちの少なくとも１つは、選択されたＣＩＤに基づく。さらに、装置１００は、受信された信号内のＬＩＤに基づいて、第１のノードとは異なる第３のノードに対する選択されたＣＩＤを使用する第２のノードの存在を決定するモジュール１６０６を含む。
【００５０】
図１７は例示的な装置１００の機能を例示する別の概念的ブロック図である。例示的な装置１００は、ワイヤレスデバイスでありうる。装置１００は、第１のノードに対するＣＩＤを選択するモジュール１７０２、およびリソースに関するＬＩＤを含む信号を送るモジュール１７０４を含む。信号またはリソースのうちの少なくとも１つは、選択されたＣＩＤに基づく。
【００５１】
図１を参照して、１つの構成では、ワイヤレス通信のための装置１００は、第１のノードに対するＣＩＤを選択するための手段、およびリソースに関するＬＩＤを含む信号を受信するための手段を含む。信号またはリソースのうちの少なくとも１つは、選択されたＣＩＤに基づく。装置１００は、受信された信号内のＬＩＤに基づいて選択されたＣＩＤを使用する第２のノードの存在を決定するための手段をさらに含む。装置１００は、ＬＩＤがワイヤレスデバイスと第１のノードとの間のリンクに特有の第２のＬＩＤと同じであるかを決定するための手段をさらに含むことができる。選択されたＣＩＤを使用する第２のノードの存在は、ＬＩＤが第２のＬＩＤとは異なるときに決定されうる。１つの構成では、信号は、接続スケジューリング信号であり、リソースは、選択されたＣＩＤに基づき、接続スケジューリング信号は少なくとも２つのトーン上で受信される。そのような構成では、装置１００は、少なくとも２つのトーンによって、ＬＩＤを決定するための手段をさらに含むとことができる。１つの構成では、信号は、ＣＩＤおよびＬＩＤに基づいて生成される、レートスケジューリングチャネルにおいて受信されるパイロット信号であり、パイロット信号の第１の部分は、ＣＩＤに基づいて生成され、パイロット信号の第２の部分は、ＬＩＤに基づいて生成される。そのような構成では、装置１００はさらに、ＣＩＤに基づいて第１の比較信号を生成するための手段、第１の比較信号をパイロット信号の第１の部分と比較するための手段、第１の比較信号がパイロット信号の第１の部分に一致するときに第２のＬＩＤに基づいて第２の比較信号を生成するための手段をさらに含むことができる。第２のＬＩＤは、ワイヤレスデバイスと第１のノードとの間のリンクに特有である。装置１００は、第２の比較信号をパイロット信号の第２の部分と比較するための手段をさらに含むことができる。選択されたＣＩＤを使用する第２のノードの存在は、第２の比較信号がパイロット信号の第２の部分と一致しないときに決定されうる。別の構成では、パイロット信号の第２の部分はまた、ＣＩＤに基づいて生成される。パイロット信号の第１の部分は、第１のセグメントおよび第２のセグメントを含むことができる。第１の部分の第１のセグメントは、ＣＩＤに基づいて生成され、第１の部分の第２のセグメントは、ＣＩＤに基づいて生成される。パイロット信号の第２の部分は、第１のセグメントおよび第２のセグメントを含むことができる。第２の部分の第１のセグメントは、ＣＩＤに基づいて生成され、第２の部分の第２のセグメントは、ＬＩＤに基づいて生成される。そのような構成では、装置１００は、パイロット信号の第１のサブセットの第１のＳＮＲを推定するための手段をさらに含むことができる。パイロット信号の第１のサブセットは、ＣＩＤに基づいて生成される第１の部分の第１のセグメントおよびＣＩＤに基づいて生成される第２の部分の第１のセグメントを含む。加えて、装置１００はさらに、パイロット信号の第２のサブセットの第２のＳＮＲを推定するための手段を含むことができる。パイロット信号の第２のサブセットは、ＣＩＤに基づいて生成される第１の部分の第２のセグメントおよびＬＩＤに基づいて生成される第２の部分の第２のセグメントを含む。さらに、装置１００は、差異を決定するために、第１のＳＮＲを第２のＳＮＲと比較するための手段を含むことができる。選択されたＣＩＤを使用する第２のノードの存在は、差異に基づいて決定されうる。当該手段は、当該手段によって記載された機能を実行するように構成された処理システム１１４である。
【００５２】
別の構成では、装置１００は、第１のノードに対するＣＩＤを選択するための手段、およびリソースに関するＬＩＤを含む信号を送るための手段を含む。信号またはリソースのうちの少なくとも１つは、選択されたＣＩＤに基づく。信号は、レートスケジューリングチャネルにおいて送られるパイロット信号でありうる。そのような構成では、装置は、ＣＩＤおよびＬＩＤに基づいて信号を生成するための手段をさらに含むことができる。当該手段は、当該手段によって記載された機能を実行するように構成された処理システム１１４である。
【００５３】
開示されるプロセスにおけるステップの指定の順序または階層は典型的な手法の例示であることは理解される。設計の選好に基づいて、プロセスにおけるステップの指定の順序または階層は再整理されうることは理解される。添付の方法の請求項はサンプルの順序における様々なステップの要素を示し、示される指定の順序もしくは階層に限定されることは企図されていない。
【００５４】
前述の説明は、いずれの当業者も本明細書で説明される様々な態様を実践することを可能にするために提供される。これらの態様への様々な変更は当業者には容易に明らかになり、本明細書で定義される包括的な本質は他の態様に適用されうる。従って、請求項は本明細書で提示される態様に限定されることは企図されておらず、しかし請求項の用語と一貫する全ての範囲が与えられるべきであり、ここにおいて単数形の要素への参照は特別にそのように述べられない限り「１つおよびただ１つ」を意味するように企図されず、むしろ「１つまたは複数の」を意味するように企図される。特別に他の方法で述べられない限り、「いくつかの」という表現は１つまたは複数を表す。当業者には既知の、もしくは後に既知となる本開示全体を通して説明された様々な態様の要素に対する全ての構造的および機能的均等物は本明細書において参照により明示的に組み込まれ、特許請求の範囲により包含されることが企図されている。さらに、本明細書に開示されたものは、いずれも、そのような開示が明示的に請求項に記載されるかどうかに関らず、公衆に献呈されることが企図されない。要素が、「〜のための手段（ｍｅａｎｓ  ｆｏｒ）」という表現を使用して明確に記載されていない限り、または、方法請求項の場合に要素が、「〜のためのステップ（ｓｔｅｐ  ｆｏｒ）」という表現を使用して記載されていない限り、どの請求項の要素も米国特許法第１１２条６項の規定のもとで解釈されるべきではない。
以下に、本願出願の当初の特許請求の範囲に記載された発明を付記する。
［Ｃ１］
第１のノードに対する接続識別子を選択することと、
リソースに関するリンク識別子を備える信号を受信することと、なお、前記信号または前記リソースのうちの少なくとも１つは前記選択された接続識別子に基づき、
前記受信された信号内の前記リンク識別子に基づいて前記選択された接続識別子を使用する第２のノードの存在を決定することと、
を備える、ワイヤレスデバイスを操作する方法。
［Ｃ２］
前記リンク識別子が、対応するリンクに特有である、Ｃ１の方法。
［Ｃ３］
前記リンク識別子が、前記ワイヤレスデバイスと前記第１のノードとの間のリンクに特有の第２のリンク識別子と同じであるかを決定することをさらに備え、
前記選択された接続識別子を使用する前記第２のノードの存在は、前記リンク識別子が前記第２のリンク識別子とは異なるときに決定される、Ｃ１の方法。
［Ｃ４］
前記信号は、接続スケジューリング信号であり、前記リソースは、前記選択された接続識別子に基づき、前記接続スケジューリング信号は少なくとも２つのトーン上で受信される、Ｃ１の方法。
［Ｃ５］
前記少なくとも２つのトーンによって前記リンク識別子を決定することをさらに備える、Ｃ４の方法。
［Ｃ６］
前記信号は、前記接続識別子および前記リンク識別子に基づいて生成されたレートスケジューリングチャネルにおいて受信されるパイロット信号である、Ｃ１の方法。
［Ｃ７］
前記パイロット信号の第１の部分は、前記接続識別子に基づいて生成され、前記パイロット信号の第２の部分は、前記リンク識別子に基づいて生成される、Ｃ６の方法。
［Ｃ８］
前記接続識別子に基づいて、第１の比較信号を生成することと、
前記第１の比較信号を前記パイロット信号の前記第１の部分と比較することと、
前記第１の比較信号が前記パイロット信号の前記第１の部分と一致するときに第２のリンク識別子に基づいて第２の比較信号を生成することと、なお、前記第２のリンク識別子が、前記ワイヤレスデバイスと前記第１のノードとの間のリンクに特有であり、
前記第２の比較信号を前記パイロット信号の前記第２の部分と比較することと、
をさらに備え、
ここにおいて、前記選択された接続識別子を使用する前記第２のノードの存在は、前記第２の比較信号が前記パイロット信号の前記第２の部分と一致しないときに決定される、Ｃ７の方法。
［Ｃ９］
前記パイロット信号の前記第２の部分もまた、前記接続識別子に基づいて生成される、Ｃ７に記載の方法。
［Ｃ１０］
前記パイロット信号の前記第１の部分は、第１のセグメントおよび第２のセグメントを備え、前記第１の部分の前記第１のセグメントは、前記接続識別子に基づいて生成され、前記第１の部分の前記第２のセグメントは、前記接続識別子に基づいて生成され、ここにおいて、前記パイロット信号の前記第２の部分は、第１のセグメントおよび第２のセグメントを備え、前記第２の部分の前記第１のセグメントは、前記接続識別子に基づいて生成され、前記第２の部分の前記第２のセグメントは、前記リンク識別子に基づいて生成される、Ｃ９の方法。
［Ｃ１１］
前記パイロット信号の第１のサブセットの第１の信号対雑音比（ＳＮＲ）を推定することと、なお、前記パイロット信号の前記第１のサブセットは、前記接続識別子に基づいて生成される前記第１の部分の前記第１のセグメント、および前記接続識別子に基づいて生成される前記第２の部分の前記第１のセグメントを備え、
前記パイロット信号の第２のサブセットの第２のＳＮＲを推定することと、なお、前記パイロット信号の前記第２のサブセットは、前記接続識別子に基づいて生成される前記第１の部分の前記第２のセグメント、および前記リンク識別子に基づいて生成される前記第２の部分の前記第２のセグメントを備え、
差異を決定するために、前記第１のＳＮＲを前記第２のＳＮＲと比較することと、
をさらに備え、
前記選択された接続識別子を使用する前記第２のノードの存在は、前記差異に基づいて決定される、
Ｃ１０の方法。
［Ｃ１２］
第１のノードに対する接続識別子を選択することと、
リソースに関するリンク識別子を備える信号を送ることと、なお、前記信号または前記リソースのうちの少なくとも１つは前記選択された接続識別子に基づく、
を備える、ワイヤレスデバイスを操作する方法。
［Ｃ１３］
前記リンク識別子は、前記ワイヤレスデバイスと前記第１のノードとの間のリンクに特有である、Ｃ１２の方法。
［Ｃ１４］
前記信号は、接続スケジューリング信号であり、前記リソースは、前記選択された接続識別子に基づき、前記接続スケジューリング信号は少なくとも２つのトーン上で送られる、Ｃ１２の方法。
［Ｃ１５］
前記信号は、前記少なくとも２つのトーンによって前記リンク識別子を搬送する、Ｃ１４の方法。
［Ｃ１６］
前記信号は、レートスケジューリングチャネルにおいて送られるパイロット信号であり、前記方法は、前記接続識別子および前記リンク識別子に基づいて前記信号を生成することをさらに備える、Ｃ１２の方法。
［Ｃ１７］
前記パイロット信号の第１の部分は、前記接続識別子に基づいて生成され、前記パイロット信号の第２の部分は、前記リンク識別子に基づいて生成される、Ｃ１６の方法。
［Ｃ１８］
前記パイロット信号の前記第２の部分もまた、前記接続識別子に基づいて生成される、Ｃ１７に記載の方法。
［Ｃ１９］
第１のノードに対する接続識別子を選択するための手段と、
リソースに関するリンク識別子を備える信号を受信するための手段と、なお、前記信号または前記リソースのうちの少なくとも１つは前記選択された接続識別子に基づき、
前記受信された信号内の前記リンク識別子に基づいて前記選択された接続識別子を使用する第２のノードの存在を決定するための手段と、
を備える、ワイヤレスデバイスのための装置。
［Ｃ２０］
前記リンク識別子が、対応するリンクに特有である、Ｃ１９の装置。
［Ｃ２１］
前記リンク識別子が、前記装置と前記第１のノードとの間のリンクに特有の第２のリンク識別子と同じであるかを決定するための手段をさらに備え、
前記選択された接続識別子を使用する前記第２のノードの存在は、前記リンク識別子が前記第２のリンク識別子とは異なるときに決定される、Ｃ１９の装置。
［Ｃ２２］
前記信号は、接続スケジューリング信号であり、前記リソースは、前記選択された接続識別子に基づき、前記接続スケジューリング信号は少なくとも２つのトーン上で受信される、Ｃ１９の装置。
［Ｃ２３］
前記少なくとも２つのトーンによって前記リンク識別子を決定するための手段をさらに備える、Ｃ２２の装置。
［Ｃ２４］
前記信号は、前記接続識別子および前記リンク識別子に基づいて生成されたレートスケジューリングチャネルにおいて受信されるパイロット信号である、Ｃ１９の装置。
［Ｃ２５］
前記パイロット信号の第１の部分は、前記接続識別子に基づいて生成され、前記パイロット信号の第２の部分は、前記リンク識別子に基づいて生成される、Ｃ２４の装置。
［Ｃ２６］
前記接続識別子に基づいて、第１の比較信号を生成するための手段と、
前記第１の比較信号を前記パイロット信号の前記第１の部分と比較するための手段と、
前記第１の比較信号が前記パイロット信号の前記第１の部分と一致するときに第２のリンク識別子に基づいて第２の比較信号を生成するための手段と、なお、前記第２のリンク識別子が、前記装置と前記第１のノードとの間のリンクに特有であり、
前記第２の比較信号を前記パイロット信号の前記第２の部分と比較するための手段と、
をさらに備え、
ここにおいて、前記選択された接続識別子を使用する前記第２のノードの存在は、前記第２の比較信号が前記パイロット信号の前記第２の部分と一致しないときに決定される、
Ｃ２５の装置。
［Ｃ２７］
前記パイロット信号の前記第２の部分もまた、前記接続識別子に基づいて生成される、Ｃ２５に記載の装置。
［Ｃ２８］
前記パイロット信号の前記第１の部分は、第１のセグメントおよび第２のセグメントを備え、前記第１の部分の前記第１のセグメントは、前記接続識別子に基づいて生成され、前記第１の部分の前記第２のセグメントは、前記接続識別子に基づいて生成され、ここにおいて、前記パイロット信号の前記第２の部分は、第１のセグメントおよび第２のセグメントを備え、前記第２の部分の前記第１のセグメントは、前記接続識別子に基づいて生成され、前記第２の部分の前記第２のセグメントは、前記リンク識別子に基づいて生成される、Ｃ２７の装置。
［Ｃ２９］
前記パイロット信号の第１のサブセットの第１の信号対雑音比（ＳＮＲ）を推定するための手段と、なお、前記パイロット信号の前記第１のサブセットは、前記接続識別子に基づいて生成される前記第１の部分の前記第１のセグメント、および前記接続識別子に基づいて生成される前記第２の部分の前記第１のセグメントを備え、
前記パイロット信号の第２のサブセットの第２のＳＮＲを推定するための手段と、なお、前記パイロット信号の前記第２のサブセットは、前記接続識別子に基づいて生成される前記第１の部分の前記第２のセグメント、および前記リンク識別子に基づいて生成される前記第２の部分の前記第２のセグメントを備え、
差異を決定するために、前記第１のＳＮＲを前記第２のＳＮＲと比較するための手段と、
をさらに備え、
前記選択された接続識別子を使用する前記第２のノードの存在は、前記差異に基づいて決定される、Ｃ２８の装置。
［Ｃ３０］
第１のノードに対する接続識別子を選択するための手段と、
リソースに関するリンク識別子を備える信号を送るための手段と、なお、前記信号または前記リソースのうちの少なくとも１つは前記選択された接続識別子に基づく、
を備える、ワイヤレス通信のための装置。
［Ｃ３１］
前記リンク識別子は、前記装置と前記第１のノードとの間のリンクに特有である、Ｃ３０の装置。
［Ｃ３２］
前記信号は、接続スケジューリング信号であり、前記リソースは、前記選択された接続識別子に基づき、前記接続スケジューリング信号は少なくとも２つのトーン上で送られる、Ｃ３０の装置。
［Ｃ３３］
前記信号は、前記少なくとも２つのトーンによって前記リンク識別子を搬送する、Ｃ３２の装置。
［Ｃ３４］
前記信号は、レートスケジューリングチャネルにおいて送られるパイロット信号であり、前記装置は、前記接続識別子および前記リンク識別子に基づいて前記信号を生成するための手段をさらに備える、Ｃ３０の装置。
［Ｃ３５］
前記パイロット信号の第１の部分は、前記接続識別子に基づいて生成され、前記パイロット信号の第２の部分は、前記リンク識別子に基づいて生成される、Ｃ３４の装置。
［Ｃ３６］
前記パイロット信号の前記第２の部分もまた、前記接続識別子に基づいて生成される、Ｃ３５に記載の装置。
［Ｃ３７］
第１のノードに対する接続識別子を選択するためのコードと、
リソースに関するリンク識別子を備える信号を受信するためのコードと、なお、前記信号または前記リソースのうちの少なくとも１つは前記選択された接続識別子に基づき、
前記受信された信号内の前記リンク識別子に基づいて前記選択された接続識別子を使用する第２のノードの存在を決定するためのコードと、
を備える、コンピュータ可読媒体、
を備える、ワイヤレスデバイスにおけるコンピュータプログラム製品。
［Ｃ３８］
第１のノードに対する接続識別子を選択するためのコードと、
リソースに関するリンク識別子を備える信号を送るためのコードと、なお、前記信号または前記リソースのうちの少なくとも１つは前記選択された接続識別子に基づく、
を備える、コンピュータ可読媒体、
を備える、ワイヤレスデバイスにおけるコンピュータプログラム製品。
［Ｃ３９］
第１のノードに対する接続識別子を選択し、
リソースに関するリンク識別子を備える信号を受信し、なお、前記信号または前記リソースのうちの少なくとも１つは前記選択された接続識別子に基づき、
前記受信された信号内の前記リンク識別子に基づいて前記選択された接続識別子を使用する第２のノードの存在を決定する、
ように構成される処理システム、
を備える、ワイヤレス通信のための装置。
［Ｃ４０］
第１のノードに対する接続識別子を選択し、
リソースに関するリンク識別子を備える信号を送り、なお、前記信号または前記リソースのうちの少なくとも１つは前記選択された接続識別子に基づく、
ように構成される、処理システム、
を備える、ワイヤレス通信のための装置。
【図１】
0005684403.tif 000013
【図２】
0005684403.tif 000014
【図３】
0005684403.tif 000015
【図４】
0005684403.tif 000016
【図５】
0005684403.tif 000017
【図６】
0005684403.tif 000018
【図７Ａ】
0005684403.tif 000019
【図７Ｂ】
0005684403.tif 000020
【図８】
0005684403.tif 000021
【図９】
0005684403.tif 000022
【図１０】
0005684403.tif 000023
【図１１Ａ】
0005684403.tif 000024
【図１１Ｂ】
0005684403.tif 000025
【図１２】
0005684403.tif 000026
【図１３】
0005684403.tif 000027
【図１４】
0005684403.tif 000028
【図１５】
0005684403.tif 000029
【図１６】
0005684403.tif 000030
【図１７】
0005684403.tif 000031